(57)【要約】  本発明は、仕上げ加工時に実質的にシリンダ状のワークピース部分（３）の周面（２）に仕上げベルトを押し付けるための押付け装置（１）であって、この押付け装置（１）が、少なくとも１つの曲げ弾性的な押付け要素（５）を有し、この押付け要素が、長手方向に実質的に非弾性的であり、仕上げベルトを押付け要素（５）により周面（２）に作用角度（４）にわたって押付け力でもって押し付けるように、支持要素（６）の互いに間隔を置いて配置された２つの支持部（７）に固定され、押付け装置（１）が、異なる直径のワークピース部分（３）の加工をするために適合可能であるものにおいて、押付け要素が、歯状のリブ（８）を備える歯付きベルト（５）であり、この歯付きベルトが、歯状のリブ（８）によって噛合い係合式に支持要素（６）に支持されていること、を特徴とする押付け装置（１）に関する。
2017518191.tif 000002
【特許請求の範囲】
【請求項１】
仕上げ加工時に実質的にシリンダ状のワークピース部分（３）の周面（２）に仕上げベルトを押し付けるための押付け装置（１）であって、この押付け装置（１）が、少なくとも１つの曲げ弾性的な押付け要素（５）を有し、この押付け要素が、長手方向に実質的に非弾性的であり、仕上げベルトを押付け要素（５）により周面（２）に作用角度（４）にわたって押付け力でもって押し付けるように、支持要素（６）の互いに間隔を置いて配置された２つの支持部（７）に固定され、押付け装置（１）が、異なる直径のワークピース部分（３）の加工をするために適合可能であるものにおいて、
押付け要素が、歯状のリブ（８）を備える歯付きベルト（５）であり、この歯付きベルトが、歯状のリブ（８）によって噛合い係合式に支持要素（６）に支持されていること、を特徴とする押付け装置（１）。
【請求項２】
歯付きベルト（５）の歯状のリブ（８）が、歯付きベルト（５）のワークピース部分（３）の側に配置されていること、を特徴とする請求項１に記載の押付け装置（１）。
【請求項３】
歯付きベルト（５）の歯状のリブ（８）が、歯付きベルト（５）のワークピース部分（３）とは反対の側に配置されていること、を特徴とする請求項１に記載の押付け装置（１）。
【請求項４】
歯付きベルト（５）が、長手方向に延在する織布及び／又は長手方向に延在する、歯状のリブ（８）を形成する弾性的なプラスチックによって押出し被覆されたスチールベルトを有すること、を特徴とする請求項１〜３のいずれか１項に記載の押付け装置（１）。
【請求項５】
付加的に、歯付きベルト（５）を支持要素（６）に固定するためのクランプ装置（９）が形成されていること、を特徴とする請求項１〜４のいずれか１項に記載の押付け装置（１）。
【請求項６】
歯付きベルト（５）は、少なくともその表面が、ポリウレタンから成ること、を特徴とする請求項１〜５のいずれか１項に記載の押付け装置（１）。
【請求項７】
歯付きベルト（５）の、支持部（７）の間に存在する部分の長さを変更するために、歯状のリブ（８）が、支持要素（６）に形成されたリセス（１１）の一部だけに形成されていること、を特徴とする請求項１〜６のいずれか１項に記載の押付け装置。
【発明の詳細な説明】
【技術分野】
【０００１】
本発明は、仕上げ加工時に実質的にシリンダ状のワークピース部分の周面に仕上げベルトを押し付けるための押付け装置であって、この押付け装置が、少なくとも１つの曲げ弾性的な押付け要素を有し、この押付け要素が、長手方向に実質的に非弾性的であり、仕上げベルトを押付け要素により周面に作用角度にわたって押付け力でもって押し付けるように、支持要素の互いに間隔を置いて配置された２つの支持部に固定され、押付け装置が、異なる直径のワークピース部分の加工をするために適合可能であるものに関する。
【背景技術】
【０００２】
前記特徴を有するこのような押付け装置は、例えば独国実用新案第２０  ２０１３  ００５  ５０４号明細書から公知である。この押付け装置の場合は、押付けベルトの形態の押付け要素が、ネジによって支持要素に固定されたバネ鋼ベルト又は繊維強化された弾性材料によって構成されている。
【先行技術文献】
【特許文献】
【０００３】
【特許文献１】独国実用新案第２０  ２０１３  ００５  ５０４号明細書
【発明の概要】
【発明が解決しようとする課題】
【０００４】
本発明の課題は、設定可能な位置で支持要素に固定することができる押付け装置用の選択的な押付け要素を提供することである。
【課題を解決するための手段】
【０００５】
この課題は、独立請求項の特徴を有する押付け装置によって解決される。この押付け装置の有利な発展形は、従属請求項及び明細書に記載され、有利な発展形の特徴は、技術的に有効に任意に互いに組合せ可能である。
【０００６】
特に、課題は、押付け要素が、歯状のリブを備える歯付きベルトであり、この歯付きベルトが、歯状のリブによって噛合い係合式に支持要素に支持されていること、によって解決される。
【０００７】
押付け装置の機能及び形成については、全面的に、冒頭で述べた独国実用新案第２０  ２０１３  ００５  ５０４号明細書を参照されたい。
【０００８】
本発明は、仕上げベルトを直接的に加工すべきシリンダ状のワークピース部分に押し付ける押付け要素が、歯付きベルトの形態のベルトであり、歯付きベルトの長手方向に対して横に整向されたリブは、歯付きベルトの広がり全体にわたって配置されている。歯付きベルトの終端領域にも形成された歯状のリブは、歯付きベルトを支持要素の相応のリセスに噛合い係合式に固定するために使用される。これは、特に、支持要素における歯付きベルトの位置が、支持要素内のリセスによって正確に設定されるとの利点を有する。加えて、歯付きベルトは、特に噛合い係合だけによって支持要素に歯付きベルトの長手方向に固定されているので、歯付きベルトの長手方向に対して横の移動による歯付きベルトの簡単な交換が可能である。
【０００９】
加えて、歯付きベルトの歯状のリブの、歯付きベルトのワークピース部分の側への好ましい整向の場合、押付け要素が、歯状のリブの領域で部分的に特に良好にシリンダ状のワークピース部分に適合することがわかった。
【００１０】
選択的に、歯付きベルトの歯状のリブが、歯付きベルトのワークピース部分とは反対の側に配置され、これにより、歯付きベルトが、仕上げベルトを、その相対的に平坦な側でワークピース部分に押し付けることが、考えられる。
【００１１】
押付け装置の好ましい形成では、歯付きベルトが、長手方向に延在する織布及び／又は長手方向に延在する、歯状のリブを形成する弾性的なプラスチックによって押出し被覆されたスチールベルトを有する。この場合、織布とスチールベルトの組合せは、歯付きベルトが、長手方向に非弾性的であるようにするために役立ち、弾性的なプラスチックは、加工すべきワークピース部分への歯付きベルトの適合のために役立つ。
【００１２】
押付け装置の別の実施形態では、歯付きベルトと支持要素の間の噛合い係合式の結合部に対して付加的に、歯付きベルトを支持要素に固定するためのクランプ装置が形成されていること、が考えられている。このようなクランプ装置は、例えばネジ及び支持要素内に形成されたネジ穴によって構成することができ、ネジが、歯付きベルト内の穴によって案内されるので、支持要素の歯付きベルトを包囲する部分は、ネジによって、歯付きベルトが締め付けられるように、力の作用を受ける。
【００１３】
押付け装置の好ましい形成によれば、歯付きベルトは、少なくともその表面が、ポリウレタンから成る。特に、前記の弾性的なプラスチックは、ポリウレタンである。
【００１４】
押付け装置の別の形成によれば、歯付きベルトの、支持部の間に存在する部分の長さを変更するために、歯状のリブが、支持要素に形成されたリセスの一部だけに形成されている。このようにして、１つの歯付きベルトだけによって、歯付きベルトの自由な長さは、支持部の間で簡単に調整することができる。
【００１５】
本発明と技術的環境を、以下で図によって模範的に説明する。図は、本発明の好ましい実施形態を示すが、これに限定されるものではないことを指摘しておく。
【図面の簡単な説明】
【００１６】
【図１】押付け装置
【図２】押付け装置の支持要素の第１の実施形態
【図３】押付け装置の支持要素の第２の実施形態
【発明を実施するための形態】
【００１７】
図１は、ワークピース部分３の周面２を加工するための装置１を示す。この装置１は、旋回可能な２つのアーム１０を有し、これらアームの終端に、それぞれ１つの支持要素６が固定されている。この支持要素６に、それぞれ１つの歯付きベルト５が固定され、この歯付きベルトは、それぞれ１つの図示してない仕上げベルトを、シリンダ状のワークピース部分３の周面２に押し付けることができる。その長手方向にこの長手方向に対して横に配置されたリブ８を備える歯付きベルト５は、歯状のリブ８に応じて支持要素６に形成されたリセス１１内に噛合い係合式に固定されている。付加的に、歯付きベルト５を支持要素６に固定するために、クランプ装置９を設けることができる。
【００１８】
図示した押付け装置により、異なる直径を有するシリンダ状のワークピース部分３を加工することが可能である。図１で、左側には、相対的に大きい直径を有するワークピース部分３の加工が図示され、右側には、相対的に小さい直径を有するワークピース部分３の加工が図示されている。従って、歯付きベルト５は、従ってまた図示してない仕上げベルトは、異なる作用角度でワークピース部分３に当接する。
【００１９】
図２に、支持要素６が、この支持要素に固定された歯付きベルト５と共に図示されている。歯付きベルト５は、その歯状のリブ８と支持要素６内のリセス１１との間の噛合い係合によって、支持要素６に固定され、付加的にクランプ装置９によって固定されている。クランプ装置９は、支持要素６内のネジ穴と、歯付きベルト５を穴において貫通しかつネジ穴に係合するネジとを有する。図２の実施形態の場合、歯状のリブ８は、歯付きベルト５のワークピース部分３の側に配置されている。
【００２０】
図３による実施形態は、図２の実施形態に非常に似ており、歯状のリブ８は、歯付きベルト５のワークピース部分３とは反対の側に配置されている。
【符号の説明】
【００２１】
１      押付け装置
２      周面
３      ワークピース部分
４      作用角度
５      歯付きベルト
６      支持要素
７      支持部
８      歯状のリブ
９      クランプ装置
１０    アーム
１１    リセス
【図１】
2017518191.tif 000003
【図２】
2017518191.tif 000004
【図３】
2017518191.tif 000005
【国際調査報告】
2017518191.tif 000006
2017518191.tif 000007
2017518191.tif 000008
2017518191.tif 000009